(57)【要約】【課題】既設支柱３に容易に設置可能な照明装置に関する。【解決手段】  内部に光源１０が収納される本体部材１１と、本体部材１１を閉塞する蓋部材１２と、弾性材でなり、蓋部材１２に固定されるとともに、既設支柱３に取り付けられる側の主面部が既設支柱３の外形形状に対応して湾曲して形成された取付部材１３とを備え、固定部材４０を蓋部材１２の第１貫通孔４１及び取付部材１３の第２の貫通孔５１を挿通し、既設支柱３の固定孔５５に締め付けて取付部材１３を既設支柱３に密着させて、蓋部材１２を既設支柱３に取り付ける。【選択図】図１
2008226600.tif 000002
【特許請求の範囲】
【請求項１】
一側面に開口部が形成され、他側面に光源からの照明光を透過する窓部が形成され、内部に光源が収納される本体部材と、
上記本体部材の上記開口部を閉塞する蓋部材と、
弾性材でなり、上記蓋部材に固定されるとともに、既設支柱に取り付けられる側の主面部が上記既設支柱の外形形状に対応して湾曲して形成された取付部材とを備え、
上記蓋部材には、上記光源に電源を供給するための電源ケーブルが挿通される第１の挿通孔が形成されるとともに、この第１の挿通孔の両側に第１の貫通孔が形成され、
上記取付部材には、上記蓋部材の上記第１の挿通孔に対応した第２の挿通孔が形成されるとともに、この第２の挿通孔の両側に上記第１の貫通孔に対応した上記第２の貫通孔が形成され、
上記既設支柱には、上記第２の挿通孔に対応した第３の挿通孔が形成されるとともに、この第３の挿通孔の両側に上記第２の貫通孔に対応した固定孔が形成され、
上記第１乃至第３の挿通孔に上記電源ケーブルを挿通させるとともに、上記第１の貫通孔と上記第２の貫通孔とを上記固定孔に一致させ、
固定部材を上記第１及び第２の貫通孔を挿通し、上記既設支柱の上記固定孔に締め付けて上記取付部材を上記既設支柱に密着させて、上記蓋部材を上記既設支柱に取り付けるとともに、上記蓋部材を上記開口部を閉塞するように上記本体部材に固定したことを特徴とする照明装置。
【請求項２】
上記取付部材の上記既設支柱と密着される主面部には、上記第２の挿通孔の周囲に防水溝が形成されていることを特徴とする請求項１記載の照明装置。
【請求項３】
上記本体部材の上記他側面は、上記既設支柱に取り付けられた際に、歩道側を向くような面であることを特徴とする請求項１又は請求項２記載の照明装置。
【請求項４】
上記本体部材の上記一側面と上記他側面以外の面には、複数個の突部が形成されていることを特徴とする請求項３記載の照明装置。
【発明の詳細な説明】
【技術分野】
【０００１】
本発明は、既設支柱に容易に設置可能な照明装置に関する。
【背景技術】
【０００２】
既設支柱に設置される照明装置は、例えば歩行者等の足下を照らして街路灯の補助的な照明等として用いられる。また、このような照明装置は、街路灯等の既設支柱に取付部材等を介して後付けされ、例えば、通常時に商用電源や太陽電池等により蓄電池に電力を蓄電しておき、災害や事故等により街路灯等の照明設備に電力供給が途絶えた停電時にサポート灯として用いられることもある（特許文献１参照。）。
【０００３】
しかしながら、このような既設支柱に後付けされる照明装置は、既設支柱に取り付ける際に、例えば、同規格の既設支柱であっても、既設支柱や取付部材の寸法誤差等により、既設支柱と取付部材とが片当たりし、ぐらつきやすくなる。また、後付けされる照明装置は、既設支柱に対して片当たりし、ぐらついていると、既設支柱と取付部材との隙間から照明装置内に塵埃や雨水等が侵入しやすくなる等の虞がある。
【０００４】
【特許文献１】特開２００５−２２８７０４号公報
【発明の開示】
【発明が解決しようとする課題】
【０００５】
本発明は、このような従来の事情に鑑みて提案されたものであり、既設支柱に対してぐらつきを防止し、既設支柱に容易に設置可能な照明装置を提供することを目的とする。
【課題を解決するための手段】
【０００６】
本発明は、一側面に開口部が形成され、他側面に光源からの照明光を透過する窓部が形成され、内部に光源が収納される本体部材と、上記本体部材の開口部を閉塞する蓋部材と、弾性材でなり、上記蓋部材に固定されるとともに、既設支柱に取り付けられる側の主面部が上記既設支柱の外形形状に対応して湾曲して形成された取付部材とを備える。
【０００７】
そして、本発明は、上記蓋部材には、上記光源に電源を供給するための電源ケーブルが挿通される第１の挿通孔が形成されるとともに、この第１の挿通孔の両側に第１の貫通孔が形成され、上記取付部材には、上記蓋部材の上記第１の挿通孔に対応した第２の挿通孔が形成されるとともに、この第２の挿通孔の両側に上記第１の貫通孔に対応した上記第２の貫通孔が形成され、上記既設支柱には、上記第２の挿通孔に対応した第３の挿通孔が形成されるとともに、この第３の挿通孔の両側に上記第２の貫通孔に対応した固定孔が形成され、上記第１乃至第３の挿通孔に上記電源ケーブルを挿通させるとともに、上記第１の貫通孔と上記第２の貫通孔とを上記固定孔に一致させ、固定部材を上記第１及び第２の貫通孔を挿通し、上記既設支柱の上記固定孔に締め付けて上記取付部材を上記既設支柱に密着させて、上記蓋部材を上記既設支柱に取り付けるとともに、上記蓋部材を上記開口部を閉塞するように上記本体部材に固定する。
【発明の効果】
【０００８】
本発明によれば、取付部材が弾性材でなり、取付部材の既設支柱に取り付けられる側の主面部が既設支柱の外形形状に対応して湾曲して形成され、固定部材を既設支柱の固定孔に締め付けて蓋部材が取付部材を既設支柱に密着させて、蓋部材が既設支柱に取り付けられることで、照明装置が既設支柱に対してぐらつくことを防止し、既設支柱に容易に設置することができる。
【発明を実施するための最良の形態】
【０００９】
以下、本発明が適用された照明装置１について、図面を参照して説明する。
【００１０】
本発明が適用された照明装置１は、図１及び図２に示すように、例えば、歩道２等に設けられた既設街路灯や電柱等の既設支柱３に取り付けられ、図１及び図２中のＡに示すように、歩道２を歩く歩行者等の足下を照らして既設街路灯や電柱等の補助的な照明として用いられる。また、照明装置１は、災害等によって停電したときに、電力供給が途絶えた既設街路灯等にかわり、内蔵する蓄電機構５２等から電力が供給されてサポート灯として用いられる。
【００１１】
本発明が適用された照明装置１は、図３乃至図５に示すように、一側面に開口部２８が形成され、内部に光源１０が収納される本体部材１１と、この本体部材１１の開口部２８を閉塞する蓋部材１２と、この蓋部材１２に固定される取付部材１３とを備える。
【００１２】
ここで、先ず、本体部材１１の内部に収納される光源１０について説明する。光源１０は、図４及び図５に示すように、照明光を照射するＬＥＤ（ＬＥＤ；Light Emitting Diode）でなる発光素子１４が複数個実装された光源基板１５と、光源基板１５が取り付けられた反射部材１６とを有する。
【００１３】
発光素子１４が複数個実装された光源基板１５は、表面に導電層が形成されたガラスエポキシ基板であり、略矩形薄板状に形成されている。この光源基板１５の表面には、発光素子１４が、例えば長手方向に対して等間隔にマトリックス状に２行８列で複数個配列されて実装されている。そして、光源基板１５は、反射部材１６の内側に発光素子１４が臨むように反射部材１６の一側面に取り付けられている。なお、発光素子１４は、ＬＥＤでなるものに限定されるものではなく、蛍光灯等を用いてもよい。
【００１４】
光源基板１５が取り付けられる反射部材１６は、機械的強度を有し、耐水性及び耐食性を備える材料からなり、例えば、ＳＵＳ４３０等のステンレス鋼板で形成されている。この反射部材１６は、発光素子１４から照射された照明光を効率的に反射させるため、全面が白色に塗装されている。なお、反射部材１６は、照明光を効率的に反射させるため、薄板材の表面に反射材、蛍光材等を塗布してもよい。
【００１５】
また、反射部材１６は、上述した板材を所定の角度を有して折り曲げて形成された長辺部１７と短辺部１８と、これら長辺部１７と短辺部１８とにそれぞれ対応して形成された略三角形状の側面部１９とからなる。これにより、反射部材１６は、これら長辺部１７と短辺部１８と側面部１９とで、発光素子１４から照射された照明光を反射させる反射空間部２０を形成している。
【００１６】
また、短辺部１８は、反射空間部２０と対向する主面部１８ａと反対側の主面部１８ｂに、第１の取付部２１を設け、この第１の取付部２１に光源基板１５が取り付けられるとともに、発光素子１４を反射空間部２０に露出させる露出孔２２が形成されている。更に、長辺部１７は、反射空間部２０と対向する主面部１７ａと反対側の主面部１７ｂに、後述するプリント基板５３が取り付けられる第２の取付部２３や、後述する蓄電機構５２が取り付けられる第１の取付片２４が設けられている。
【００１７】
また、反射部材１６は、長辺部１７の短辺部１８側とは反対側の一辺に、略三角形状の側面部１９の斜辺１９ａと略平行で短辺部１８とは反対方向に第２の取付片２５を設け、短辺部１８の長辺部１７側とは反対側の一辺に、側面部１９の斜辺１９ａと略平行で長辺部１７とは反対方向に第３の取付片２６を設けている。
【００１８】
これら第２の取付片２５及び第３の取付片２６には、反射空間部２０を覆うように、反射空間部２０で反射された照明光を透過させる透光板２７が設けられている。この透光板２７は、第２の取付片２５及び第３の取付片２６によって後述する第１の弾性材３１に押圧されて取り付けられている。この透光板２７は、機械的強度を有し、光源１０から照射された照明光を透過させる透過性の高い透明又は半透明のガラスや樹脂材料、例えばアクリル樹脂で形成されている。また、透光板２７は、反射空間部２０内に塵埃等が侵入しないように防塵するとともに、光源１０を外圧から保護する。
【００１９】
そして、光源１０は、発光素子１４から照射された照明光を、反射部材１６の反射空間部２０で反射させて、透光板２７を透過させて、外部に照射している。
【００２０】
以上のような光源１０が内部に収納される本体部材１１は、機械的強度を有し、屋外設置に耐える耐水性及び耐食性を備える材料からなり、例えば、ＳＵＳ４３０等のステンレス鋼板で形成されている。本体部材１１は、図３乃至図５に示すように、全体が箱形状であり、一側面に光源１０を搬入又は搬出させる開口部２８が形成され、この開口部２８に連続して光源１０を収納する収納部２９が形成されている。
【００２１】
この収納部２９は、開口部２８が形成された一側面と隣り合うような他側面に、収納された光源１０から照射された照明光を本体部材１１の外部に照射させる窓部３０が形成されている。このため、収納部２９には、この窓部３０に反射空間部２０が対向するように光源１０が配設されている。
【００２２】
また、窓部３０の周囲には、窓部３０の全周に亘って、反射空間部２０を覆う透光板２７と窓部３０の隙間から本体部材１１内に塵埃や雨水等が侵入するのを防止するとともに、透光板２７と収納部２９とが直接当接して透光板２７に傷等がつかないように緩衝させる第１の弾性材３１が設けられている。
【００２３】
更に、窓部３０の周囲には、光源１０を固定する固定片３２が複数個設けられている。これらの固定片３２は、それぞれ断面略Ｌ字形状に設けられ、照明装置が既設支柱３に取り付けられた際に窓部３０に対して略垂直方向にそれぞれ対向するように設けられている。光源１０は、透光板２７が第１の弾性材３１と当接されて窓部３０に臨むように固定片３２に配設された後に、弾性ゴム等の第２の弾性材３３を、第２の取付片２５と固定片３２との間、並びに、第３の取付片２６と固定片３２との間にそれぞれ挿入されることで、第２の弾性材３３によって窓部３０側に押圧されて固定される。これにより、本体部材１１は、透光板２７と窓部３０との隙間から本体部材１１内に塵埃や雨水等が侵入するのを防止する。
【００２４】
また、収納部２９には、開口部２８近傍に、後述する蓋部材１２によって開口部２８が閉塞される際に、締結ボルト３４等によって蓋部材１２を固定する締結孔３５が複数個形成されている。
【００２５】
更に、本体部材１１は、外部と対向する主面部に、外部方向に突出する複数個の突部３６が設けられている。これらの突部３６は、広告やシール等が貼られる等のいたずらを防止する。
【００２６】
なお、本体部材１１は、窓部３０が、開口部２８が形成された一側面と隣り合うような他側面に形成されていることに限定されるものではなく、例えば、上述した窓部３０と対向する他側面に更なる窓部を形成してもよい。これにより本体部材１１は、図２に示すように、例えば、歩行者等の歩行の邪魔にならないように既設支柱３に歩道２と平行方向に取り付けられて歩道２側のみを照射するような場合に、既設支柱３に対して一方側に取り付けることに限定されることなく、他方側にも取り付けることができ、既設支柱３の周囲の環境等に応じて使い分けることができる。このとき、使用しない窓部３０は、閉塞板等によって本体部材１１内に塵埃や雨水等が侵入しないように閉塞しておく。また、本体部材１１は、それぞれの窓部３０にそれぞれ光源１０を備えて、例えば、歩道２と車道４との両側を照射するようにしてもよい。
【００２７】
以上のような本体部材１１の開口部２８を閉塞する蓋部材１２は、図３乃至図５に示すように、機械的強度を有し、屋外設置に耐える耐水性及び耐食性を備える材料からなり、例えば、ＳＵＳ４３０等のステンレス鋼板で形成されている。蓋部材１２は、本体部材１１の開口部２８を閉塞するものであり、開口部２８の大きさや形状に対応して形成されている。具体的に、蓋部材１２は、主面部３７に周壁３８が形成されている。
【００２８】
また、蓋部材１２の主面部３７には、略中央に、光源１０に電力を供給するための電源ケーブル５が挿通される第１の挿通孔３９が形成されている。更に、蓋部材１２の主面部３７には、第１の挿通孔３９の両側に第１の挿通孔３９からそれぞれ略等間隔離間して、蓋部材１２を既設支柱３に取り付ける固定部材４０が挿通される第１の貫通孔４１が形成されている。
【００２９】
また、蓋部材１２の主面部３７には、庇４３が設けられた複数個の換気孔４２が形成されている。庇４３は、換気孔４２の上面に湾曲するように設けられている。これらの換気孔４２は、一方の換気孔４２から外気が本体部材１１内に流入し、他方の換気孔４２から外部に外気を流出させることで、本体部材１１内を換気し、本体部材１１内に錆の原因となる湿気が溜まることを防止する。また、換気孔４２は、上面に設けられた庇４３によって雨水等が換気孔４２から本体部材１１内に入らないように防止する。なお、換気孔４２は、本体部材１１内と外部とを連通させているので、塵埃や照明に集まってきた虫等が本体部材１１内に侵入することを防止するため、金網等の換気パネル等で覆うようにしてもよい。
【００３０】
また、蓋部材１２の本体部材１１内と対向する側の主面部３７ｂには、防水板４４が設けられている。この防水板４４は、光源基板１５の近傍の換気孔４２と連続し、照明装置１が既設支柱３に設置された際に本体部材１１に固定された反射部材１６に取り付けられている光源基板１５の略垂直方向上側に所定間隔を有して光源基板１５を覆うように突出されている。これにより、照明装置１は、例えば、本体部材１１と蓋部材１２との照明装置１が既設支柱３に取り付けられた際に略垂直方向上側となる接触部分から本体部材１１内に雨水等が侵入しても、光源基板１５に侵入した雨水等が当たらないように防水板４４によって雨水等を受けて光源基板１５が雨水等から保護されるとともに、防水板４４によって受けた雨水等が主面部３７ｂにガイドされて水抜き孔４５から外部に排出される。
【００３１】
また、蓋部材１２の周壁３８には、水抜き孔４５が設けられている。水抜き孔４５は、切り欠きであり、照明装置１が既設支柱３に取り付けられた際に垂直方向下側となる周壁３８と蓋部材１２の主面部３７とに亘り複数個設けられている。これにより、照明装置は、本体部材１１内に雨水等が侵入し、既設支柱３に取り付けられた際に本体部材１１の略垂直方向下側に雨水等が溜まっても、水抜き孔４５から外部に雨水等が排出される。なお、水抜き孔４５は、蓋部材１２に設けられることに限定されるものではなく、照明装置１が既設支柱３に取り付けられた際に本体部材１１の垂直方向下側にあたる一側面、例えば本体部材１１の収納部２９等に設けてもよい。
【００３２】
更に、蓋部材１２の周壁３８には、本体部材１１の開口部２８を閉塞する際に、締結ボルト３４等によって本体部材１１を取り付ける締結孔４６が本体部材１１の締結孔３５に対応して複数個形成されている。これらの締結孔４６は、本体部材１１の締結孔３５を挿通し、本体部材１１を蓋部材１２に取り付ける締結ボルト３４がねじ込まれるネジ孔である。
【００３３】
また、蓋部材１２の外部と対向する側の主面部３７ａには、両面テープ及び接着材等によって取付部材１３が固定されている。
【００３４】
以上のような蓋部材１２に固定される取付部材１３は、図３乃至図５に示すように、弾性材からなり、好ましくは弾性ゴムからなり、更に好ましくはエチレン・プロピレンゴム（ＥＰＤＭ）硬度６０°等で形成されている。取付部材１３は、平面視略矩形状であり、一方の主面部が蓋部材１２に両面テープや接着剤等で固定される。また、取付部材１３は、蓋部材１２に固定される一方の主面部とは反対側の他方の主面部に、既設支柱３に取り付けられる密着部４７が形成されている。この密着部４７は、既設支柱３の外形形状に対応して湾曲して形成されている。
【００３５】
これにより、取付部材１３は、固定部材４０によって蓋部材１２を既設支柱３に取り付けられる際に、例えば、既設支柱３や取付部材１３に寸法誤差等があっても、弾性ゴム等からなるので、蓋部材１２により既設支柱３に押圧されることで、密着部４７が既設支柱３の外形形状に対応して変形されることで既設支柱３に密着する。
【００３６】
また、取付部材１３の主面部には、略中央に、光源１０に電力を供給するための電源ケーブル５が挿通される第１の挿通孔３９に対応した第２の挿通孔４８が形成されている。この第２の挿通孔４８の周囲には、図６に示すように、第２の挿通孔４８の周囲の凸部４９の外側に連続する環状の凹部の防水溝５０が形成されている。この防水溝５０は、所定の深さを有し、既設支柱３と取付部材１３との間から侵入した雨水等を第２の挿通孔４８を介して本体部材１１内に侵入しないように溜めておき、本体部材１１内を防水する。
【００３７】
更に、取付部材１３の主面部には、蓋部材１２の第１の貫通孔４１にそれぞれ対応した第２の貫通孔５１が形成されている。なお、第２の貫通孔５１の周囲にも、第２の貫通孔５１の周囲の凸部の外側に連続する環状の凹部の防水溝を形成して、既設支柱３と取付部材１３との間から侵入した雨水等が第２の貫通孔５１を介して本体部材１１内に侵入しないように溜めておき、本体部材１１内を防水するようにしてもよい。
【００３８】
以上のような照明装置１には、図４に示すように、更に蓄電機構５２を備えている。蓄電機構５２は、繰り返し蓄電及び／又は放電が行えるニッカドカドミウム電池、ニッケル水素電池又はリチウムイオン電池等の２次電池が用いられる。また、蓄電機構５２は、反射部材１６の長辺部１７の反射空間部２０と対向する主面部１７ａと反対側の主面部１７ｂに設けられた第１の取付片２４に取り付けられている。そして、蓄電機構５２は、既設街路灯の商用電源から電源ケーブル５を介して蓄電されるとともに、発光素子１４に電力を供給する。これにより、照明装置１は、例えば、商用電源から発光素子１４に電力が供給されない停電等の場合でも、蓄電機構５２によって発光素子１４に電力が供給され、発光素子１４を照射させることができる。
【００３９】
また、以上のような照明装置１には、図４に示すように、第２の取付部２３に、電源ケーブル５及び蓄電機構５２と電気的に接続されたプリント基板５３が設けられている。この基板５３には、電源ケーブル５を介して既設支柱３の商用電源から蓄電機構５２に電力を蓄電させる蓄電回路等が設けられている。
【００４０】
ここで、照明装置１が取り付けられる既設支柱３は、図１乃至図３に示すように、歩道２、すなわち地面から所定の高さを有するとともに、照明装置１が歩道２に対して略平行方向に取り付けられ、窓部３０が歩道２側を向くような位置に、取付部材１３の第２の挿通孔４８に対応した第３の挿通孔５４が形成される。この第３の挿通孔５４は、既設支柱３から照明装置１内に、発光素子１４等に電力を供給する電源ケーブル５が挿通される。
【００４１】
また、既設支柱３は、既設支柱３の軸線方向に対して第３の挿通孔５４の両側に第２の貫通孔５１に対応した固定孔５５が形成されている。これらの固定孔５５は、蓋部材１２の第１の貫通孔４１及び取付部材１３の第２の貫通孔５１を挿通し、取付部材１３を既設支柱３に密着させて蓋部材１２を既設支柱３に取り付ける固定部材４０がねじ込まれるネジ孔である。なお、固定孔５５は、取付部材１３を既設支柱３に密着させて蓋部材１２を既設支柱３に取り付けることができれば、ネジ孔を設けずに、固定部材４０と固定ナットとで蓋部材１２を既設支柱３に取り付けてもよい。
【００４２】
以上のように構成された、歩道２を歩く歩行者等の足下を照らして既設街路灯の補助的な照明として用いられる照明装置１の歩道２等に設けられた既設街路灯の既設支柱３に取り付ける方法を説明する。なお、照明装置１は、図１及び図２に示すように、歩行者等の歩行の邪魔にならないように、歩道２に対して略平行方向に取り付けられる。
【００４３】
先ず、蓋部材１２は、第１の挿通孔３９を取付部材１３の第２の挿通孔４８と一致させ、第１の貫通孔４１を取付部材１３の第２の貫通孔５１と一致させて、取付部材１３に接着材等を用いて取り付けられる。そして、電源ケーブル５は、蓋部材１２側から取付部材１３側に向かって、蓋部材１２の第１の挿通孔３９と取付部材１３の第２の挿通孔４８とを挿通される。そして、蓋部材１２と取付部材１３とを挿通した電源ケーブル５は、照明装置１が歩道２に対して略平行方向に取り付けられるように既設支柱３に形成された第３の挿通孔５４を介して既設支柱３内に挿通されて、既設支柱３内の商用電源と接続される。
【００４４】
そして、蓋部材１２は、既設支柱３の外形形状に対応して湾曲して形成された密着部４７を既設支柱３側に向けて取付部材１３を介して、蓋部材１２の第１の貫通孔４１と取付部材１３の第２の貫通孔５１とを挿通した固定部材４０を用いて既設支柱３の固定孔５５に締め付けられて固定される。このとき、取付部材１３は、弾性ゴム等からなるので、例えば、既設支柱３や取付部材１３に寸法誤差等があっても、固定部材４０によって蓋部材１２で既設支柱３に押圧されることで、密着部４７が既設支柱３の外形形状に対応して変形されて既設支柱３に密着される。
【００４５】
そして、本体部材１１は、締結孔３５を取付部材１３を介して既設支柱３に密着して固定された蓋部材１２の締結孔４６と一致させ、締結ボルト３４を締結孔３５に挿通させて、蓋部材１２の締結孔４６にネジ止めして締結されて固定される。
【００４６】
そして、以上のように既設支柱３に取り付けられた照明装置１は、商用電源及び蓄電機構から発光素子１４に電力が供給されて発光素子１４が点灯し、歩道２を歩く歩行者等の足下を照らして既設街路灯や電柱等の補助的な照明として用いられる。また、照明装置１は、災害等によって停電したときにおいても、商用電源から電力供給が途絶えた既設街路灯等にかわり、内蔵する蓄電機構から発光素子１４に電力を供給してサポート灯として用いられる。
【００４７】
以上のように構成された照明装置１は、取付部材１３が弾性材でなり、既設支柱３に取り付けられる側の主面部が既設支柱３の外形形状に対応して湾曲して形成され、固定部材４０を既設支柱３の固定孔５５に締め付けて蓋部材１２が取付部材１３を既設支柱３に密着させて、蓋部材１２が既設支柱３に取り付けられることで、照明装置１が既設支柱３に対してぐらつくことを防止し、既設支柱３に容易に設置することができる。
【００４８】
また、照明装置１は、取付部材１３が弾性材でなり、既設支柱３に取り付けられる側の主面部が既設支柱３の外形形状に対応して湾曲して形成され、固定部材４０を既設支柱３の固定孔５５に締め付けて蓋部材１２が取付部材１３を既設支柱３に密着させて、蓋部材１２が既設支柱３に取り付けられることで、取付部材１３と既設支柱３との間から照明装置１内に侵入物が侵入することを防止することができ、防水性、防塵性を高めることがでる。
【図面の簡単な説明】
【００４９】
【図１】本発明が適用された照明装置の実施例の斜視図である。
【図２】本発明が適用された照明装置の実施例の平面図である。
【図３】本発明が適用された照明装置の要部分解斜視図である。
【図４】本発明が適用された照明装置の歩道に対して略直交方向の縦断面図である。
【図５】本発明が適用された照明装置の歩道に対して略平行方向の断面した縦断面図である。
【図６】図５中に示すＢ領域の一部拡大図である。
【符号の説明】
【００５０】
１  照明装置、２  歩道、３  既設支柱、４  車道、５  電源ケーブル、１０  光源、１１  本体部材、１２  蓋部材、１３  取付部材、１４  発光素子（ＬＥＤ）、１５  光源基板、１６  反射部材、１７  長辺部、１８  短辺部、１９  側面部、１９ａ  斜辺、２０  反射空間部、２１  第１の取付部、２２  露出孔、２３  第２の取付部、２４  第１の取付片、２５  第２の取付片、２６  第３の取付片、２７  透光板、２８  開口部、２９  収納部、３０  窓部、３１  第１の弾性材、３２  固定片、３３  第２の弾性材、３４  締結ボルト、３５  締結孔、３６  突部、３７  主面部、３８  周壁、３９  第１の挿通孔、４０  固定部材、４１  第１の貫通孔、４２  換気孔、４３  庇、４４  防水板、４５  水抜き孔、４６  締結孔、４７  密着部、４８  第２の挿通孔、４９  凸部、５０  防水溝、５１  第２の貫通孔、５２  蓄電機構、５３  基板、５４  第３の挿通孔、５５  固定孔
【図１】
2008226600.tif 000003
【図２】
2008226600.tif 000004
【図３】
2008226600.tif 000005
【図４】
2008226600.tif 000006
【図５】
2008226600.tif 000007
【図６】
2008226600.tif 000008